(57)【特許請求の範囲】
【請求項１】
葉書本体シートと貼着シートとが折り部を介して連接してなる葉書シートを備え、前記葉書本体シートの表面側には宛名表示部と複写記入部を設け、前記葉書シートの裏面側には前記葉書本体シートと前記貼着シートを剥離可能に接着するための接着構造を設け、前記貼着シートの裏面側には、前記貼着シートを前記葉書本体シートの表面側に前記折り部から折り重ねた時に前記複写記入部に上下に対応する位置に記入部を設け、前記折り重ね状態で前記記入部に記入した事項が前記複写記入部に複写記入できるように、前記葉書シートの適所に、前記折り重ね面の間に介在して前記複写記入部に対接する複写部材を設けた複写シートを分離可能に設け、前記葉書シートまたは前記複写シートには、前記葉書本体シートと前記貼着シートの折り重ね状態時に前記複写記入部と前記記入部との間に位置しない適所に、前記複写記入部に剥離可能に接着して複写記入事項を被覆隠蔽するための隠蔽ラベルを剥離可能に設けたことを特徴とする複写機能を有する葉書用シート。
【発明の詳細な説明】
【０００１】
【発明の属する技術分野】
本発明は、葉書本体シートと貼着シートとを有し、貼着シートに記入した事項を葉書本体シートに複写し、前記両シートを剥離可能に接着して葉書とした時に、前記貼着シートに記入した事項は外部から見えない状態になる一方、表出する前記葉書本体シートの複写記入事項は、隠蔽ラベルを剥離可能に接着して隠蔽状態として使用する複写機能を有する葉書用シートに関し、例えば、公共料金等の口座振替依頼書として使用すると好適な複写機能を有する葉書用シートに関する。
【０００２】
【従来の技術】
従来、公共料金等の口座振替申込は、葉書に口座振替依頼事項を記入するとともに、口座番号等の他人に知られたくない秘匿事項記入部分を隠蔽ラベルで被覆してサービス提供会社へ郵送したり、口座振替依頼事項を記入した依頼書を封筒に封入してサービス提供会社へ郵送して行っているのが通常である。
【０００３】
【発明が解決しようとする課題】
ところが、この従来例によると、依頼を受けたサービス提供会社側では、顧客が記入した依頼書は金融機関に送る必要があるので、自社の控えは別途コピーを取って作成しなければならず、この控え作成作業が煩雑であるという不都合があった。また、複写記入により控えを取れる口座振替依頼書も存在するが、従来のものは、あらかじめ複写記入部に剥離可能に接着した複写構成だったので、複写記入部には複写記入し得るに止まり、追加記入や捺印をすることができないという不都合があった。
【０００４】
本発明は、このような従来の不都合を解消して、サービス提供会社の控えを作成することができるとともに、複写記入部に直接、追加記入や捺印することができ、二つ折り葉書として郵送可能な、複写機能を有する葉書用シートを提供することを目的とする。
【０００５】
【課題を解決するための手段】
この目的を達成するために、本願発明の請求項１に記載した複写機能を有する葉書用シートは、葉書本体シートと貼着シートとが折り部を介して連接してなる葉書シートを備え、前記葉書本体シートの表面側には宛名表示部と複写記入部を設け、前記葉書シートの裏面側、例えば葉書本体シートの裏面側には、前記葉書本体シートと前記貼着シートを剥離可能に接着するための接着構造、例えば、２枚の樹脂シートを疑似的に剥離可能に接着してなる接着構造を設け、前記貼着シートの裏面側には、前記貼着シートを前記葉書本体シートの表面側に前記折り部から折り重ねた時に前記複写記入部に上下に対応する位置に記入部を設け、前記折り重ね状態で前記記入部に記入した事項が前記複写記入部に複写記入できるように、前記葉書シート、例えば前記葉書本体シートの適所に、前記折り重ね面の間に介在して前記複写記入部に対接する複写部材、例えば複写カーボン部材を設けた複写シートを分離可能に設け、前記葉書シート、例えば前記貼着シート、または前記複写シートのいずれか一方には、前記葉書本体シートと前記貼着シートの折り重ね状態時に前記複写記入部と前記記入部との間に位置しない適所に、前記複写記入部に剥離可能に接着して複写記入事項を被覆隠蔽するための隠蔽ラベルを剥離可能に設けたものである。
【０００６】
【発明の実施の形態】
以下、本発明の好適な実施の形態を添付図面に基づいて詳細に説明する。ここにおいて、図１〜図５は第１の実施形態を示すもので、図１は葉書用シートの斜視図、図２はそのＡ−Ａ線断面図、図３は葉書シートの表面側を示す平面図、図４は複写記入状態時の貼着シートを示す平面図、図５は作成した二つ折り葉書の断面図である。また、図６〜図９は第２の実施形態を示すもので、図６は葉書用シートの斜視図、図７はそのＢ−Ｂ線断面図、図８は葉書シートの表面側を示す平面図、図９は作成した二つ折り葉書の断面図である。
【０００７】
まず、図１〜図５に基づいて第１の実施形態を説明する。図１及び図２に示すように、葉書用シート１は、葉書本体シート２と貼着シート３とが折り部たる折り兼切り用ミシン目４を介して連接してなる葉書シート５を備えている。前記葉書本体シート２は、葉書シート５を折り兼切り用ミシン目４で二つ折りして葉書を作成した時に葉書本体となるとともに、サービス提供会社の控えとなるものである。
【０００８】
図３で理解できるように、葉書本体シート２の表面側には、葉書表示１５を設けるとともに、葉書の郵送先となるサービス提供会社の住所、名称を表示する宛名表示部６と、口座振替に必要な事項である、振替を行う銀行支店名、口座番号、口座名義人の住所、氏名、電話番号、を複写記入する複写記入欄及び銀行届出印捺印欄とからなる複写記入部７を設けている。なお、前記宛名表示部６には、あらかじめサービス提供会社の住所、名称である宛名表示６ａを印刷してある。
【０００９】
図２に示すように、葉書本体シート２の裏面側には、この葉書本体シート２と貼着シート３を剥離可能に接着するための接着構造を設けている。この接着構造は、２枚の略同一大の透明な樹脂シート８，９を疑似接着層１０を介して疑似的に剥離可能に接着し、各樹脂シート８，９の表出面側には、接着力の強い粘着剤１１，１２をそれぞれ設けるとともに剥離紙１３，１４で被覆してなる。
【００１０】
剥離紙１３，１４のうち、剥離紙１４は各樹脂シート８，９と同一大であるが、剥離紙１３は一端側を短く形成し、露出する粘着剤１１で前記葉書本体シート２の裏面に接着してある。したがって、本実施形態にあっては、口座振替依頼者が、剥離紙１３を捲り上げて、葉書本体シート２の裏面に所望事項を記入したり、あらかじめ葉書本体シート２の裏面に印字等により表示してある各種情報を読むことも可能である。
【００１１】
上述の疑似接着層１０は、相互に接着性が低い樹脂シート８，９間に、これら樹脂シート８，９の一方と接着性を有する樹脂を溶融状態で塗布して、溶融樹脂と接着性の低い他方のシートとの間に剥離可能な疑似的接着状態を形成すればよい。例えば、樹脂シート８，９がポリエチレンテレフタレートとポリエチレンの組み合わせの場合には、これら樹脂シート８，９の間に、一方のシートと同一材質の樹脂をエクストルージョンコートして、各樹脂シート８，９を積層することにより形成できる。
【００１２】
一方、貼着シート３は指定銀行に送る口座振替依頼書となるもので、図４で理解できるように、貼着シート３の裏面側には、この貼着シート３を葉書本体シート２の表面側に折り兼切り用ミシン目４から折り重ねた時に、複写記入部７に上下に対応する位置に、振替を行う銀行支店名、口座番号、口座名義人の住所、氏名、電話番号、を記入する記入欄及び銀行届出印捺印欄とからなる記入部１６を設けている。また、前記貼着シート３の裏面側における前記記入部１６の上部には、「口座振替依頼書」なる標題１７と、依頼年月日記入欄１８と、依頼書記入説明文１９を設けている。
【００１３】
図１及び図２に示すように、葉書本体シート２の折り兼切り用ミシン目４とは反対側端には、複写シート２０を接着力の弱い接着剤２１で分離可能に綴じ合わせてある。この複写シート２０は、シート基材２２の裏面に再剥離性粘着剤２３を塗布するとともに剥離紙２４で被覆し、前記剥離紙２４の裏面には、前記葉書本体シート２の複写記入部７に対接する位置に複写カーボン部材２５を設けている。そして、前記複写シート２０は、貼着シート３を前記葉書本体シート２の表面側に折り重ねた時に、前記貼着シート３の記入部１６に記入した事項が前記葉書本体シート２の複写記入部７に複写記入できるように、前記葉書本体シート２と前記貼着シート３との折り重ね面の間に介在する。
【００１４】
さらに、複写シート２０には、シート基材２２の複写カーボン部材２５に対応しない位置に、切り込み２６を設けて隠蔽ラベル２７を形成してある。この隠蔽ラベル２７は、複写シート２０の剥離紙２４から再剥離性粘着剤２３とともに剥離可能であり、葉書本体シート２の複写記入した複写記入部７に剥離可能に接着して、複写記入事項７ａ（図５参照）を被覆隠蔽するためのものである。
【００１５】
続いて、上述した葉書用シート１の使用方法を説明する。図１及び図２状態において、口座振替依頼者が、貼着シート３を折り兼切り用ミシン目４から葉書本体シート２の表面側に折り重ねると、前記両シート２，３の間に、複写シート２０が介在した状態となるとともに、記入部１６の直下に複写カーボン部材２５及び複写記入部７が位置する状態となる。そして、図４に示すように、前記貼着シート３の裏面側にある記入部１６が表出した状態となる。ここで、前記記入部１６に所定の記入事項１６ａを記入すると、複写カーボン部材２５によって、同一内容が複写記入事項７ａとして前記複写記入部７に複写記入される。
【００１６】
この記入動作後、貼着シート３を再び図１及び図２状態とし、各銀行届出印捺印欄に届出印を捺印した後、複写シート２０を葉書本体シート２から分離する一方、剥離紙１３を剥離して粘着剤１１を完全に露出し、樹脂シート８全体を前記葉書本体シート２の裏面に接着する。さらに、剥離紙１４を剥離して粘着剤１２を露出し、貼着シート３を折り兼切り用ミシン目４から前記葉書本体シート２の裏面側に折り重ね、樹脂シート９に接着する。そして、隠蔽ラベル２７を再剥離性粘着剤２３とともに剥離紙２４から剥離し、複写記入部７に接着して、複写記入事項７ａを被覆隠蔽する。これによって、図５に示すように、前記複写記入事項７ａ及び記入事項１６ａが外部から視認不能となった、二つ折り葉書２８が作成される。
【００１７】
二つ折り葉書２８は、この状態において通常の葉書と同様に投函可能である。この二つ折り葉書２８を受け取ったサービス提供会社では、疑似接着層１０から両樹脂シート８，９を剥離し、折り兼切り用ミシン目４を破断して葉書本体シート２と貼着シート３とを分断する。この状態で記入事項１６ａは樹脂シート９を透して視認可能となり、隠蔽ラベル２７を剥離すれば、複写記入事項７ａは視認可能となる。サービス提供会社では、複写記入した葉書本体シート２を控えとして使用する一方、貼着シート３を、口座振替を行う指定の銀行に、同一銀行を指定した他の口座振替依頼者の分とまとめて封筒等に封入して郵送する。そして、貼着シート３を受け取った銀行では、記入事項１６ａに基づいて必要な事務処理を行う。
【００１８】
次に、図６〜図９に基づいて第２の実施形態を説明する。図６及び図７に示すように、葉書用シート３１は、葉書本体シート３２と貼着シート３３とが折り部たる折り兼切り用ミシン目３４を介して連接してなる葉書シート３５を備えている。前記葉書本体シート３２は、葉書シート３５を折り兼切り用ミシン目３４で二つ折りして葉書を作成した時に葉書本体となるとともに、サービス提供会社の控えとなるものである。
【００１９】
図８で理解できるように、葉書本体シート３２の表面側には、葉書表示４５を設けるとともに、葉書の郵送先となるサービス提供会社の住所、名称を表示する宛名表示部３６と、口座振替に必要な事項である、振替を行う銀行支店名、口座番号、口座名義人の住所、氏名、電話番号、を複写記入する複写記入欄及び銀行届出印捺印欄とからなる複写記入部３７を設けている。なお、前記宛名表示部３６には、あらかじめサービス提供会社の住所、名称である宛名表示３６ａを印刷してある。
【００２０】
図７に示すように、葉書本体シート３２の裏面側には、この葉書本体シート３２と貼着シート３３を剥離可能に接着するための接着構造を設けている。この接着構造は、２枚の略同一大の透明な樹脂シート３８，３９を疑似接着層４０を介して疑似的に剥離可能に接着し、各樹脂シート３８，３９の表出面側には、接着力の強い粘着剤４１，４２をそれぞれ設けるとともに剥離紙４３，４４で被覆してなる。前記剥離紙４３，４４のうち、剥離紙４４は各樹脂シート４８，４９と同一大であるが、剥離紙４３は一端側を短く形成し、露出する粘着剤４１で前記葉書本体シート３２の裏面に接着してある。
【００２１】
したがって、本実施形態においても、口座振替依頼者が剥離紙４３を捲り上げて、葉書本体シート３２の裏面に所望事項を記入したり、あらかじめ葉書本体シート３２の裏面に印字等により表示してある各種情報を読むことも可能である。なお、上述の疑似接着層４０は第１の実施形態の疑似接着層１０と同様に形成すればよい。
【００２２】
一方、貼着シート３３は指定銀行に送る口座振替依頼書となるもので、貼着シート３３の裏面側には、図示してはいないが第１の実施形態と同様に、この貼着シート３３を葉書本体シート３２の表面側に折り兼切り用ミシン目３４から折り重ねた時に、複写記入部３７に上下に対応する位置に、振替を行う銀行支店名、口座番号、口座名義人の住所、氏名、電話番号、を記入する記入欄及び銀行届出印捺印欄とからなる記入部を設けている（図４参照）。また、同じく図示してはいないが第１の実施形態と同様に、前記貼着シート３３の裏面側における前記記入部の上部には、「口座振替依頼書」なる標題と、依頼年月日記入欄と、依頼書記入説明文を設けている（図４参照）。
【００２３】
図６及び図７に示すように、葉書本体シート３２の折り兼切り用ミシン目３４とは反対側端には、複写シート５０を接着力の弱い接着剤５１で分離可能に綴じ合わせてある。この複写シート５０の裏面には、前記葉書本体シート３２の複写記入部３７に対接する位置に複写カーボン部材５５を設けている。そして、前記複写シート５０は、貼着シート３３を前記葉書本体シート３２の表面側に折り重ねた時に、前記貼着シート３３の記入部４６に記入した事項が前記葉書本体シート３２の複写記入部３７に複写記入できるように、前記葉書本体シート３２と前記貼着シート３３との折り重ね面の間に介在する。
【００２４】
一方、貼着シート３３の表面側には、この貼着シート３３を折り兼切り用ミシン目３４で葉書本体シート３２の表面側に折り重ねた時に、複写カーボン部材５５に対応しない位置に、隠蔽ラベル５７を再剥離性粘着剤５３によって剥離可能に接着している。この隠蔽ラベル５７は、葉書本体シート３２の複写記入した複写記入部３７に前記再剥離性粘着剤５３で剥離可能に接着して、複写記入事項３７ａ（図９参照）を被覆隠蔽するためのものである。
【００２５】
続いて、上述した葉書用シート３１の使用方法を説明する。図６及び図７状態において、口座振替依頼者が、貼着シート３３を折り兼切り用ミシン目３４から葉書本体シート３２の表面側に折り重ねると、前記両シート３２，３３の間に、複写シート５０が介在した状態となるとともに、前記貼着シート３３の記入部の直下に複写カーボン部材５５及び複写記入部３７が位置する状態となり、前記貼着シート３３の裏面側にある記入部が表出した状態となる（図４参照）。ここで、前記記入部に所定の記入事項４６ａを記入すると、複写カーボン部材５５によって、同一内容が複写記入事項３７ａとして前記複写記入部３７に複写記入される。
【００２６】
この記入動作後、貼着シート３３を再び図６及び図７状態とし、各銀行届出印捺印欄に届出印を捺印した後、複写シート５０を葉書本体シート３２から分離する一方、剥離紙４３を剥離して粘着剤４１を完全に露出し、樹脂シート３８全体を前記葉書本体シート３２の裏面に接着する。さらに、剥離紙４４を剥離して粘着剤４２を露出し、貼着シート３３を折り兼切り用ミシン目３４から前記葉書本体シート３２の裏面側に折り重ね、樹脂シート３９に接着する。そして、隠蔽ラベル５７を再剥離性粘着剤５３とともに貼着シート３３から剥離し、複写記入部３７に接着して、複写記入事項３７ａを被覆隠蔽する。これによって、図９に示すように、前記複写記入事項３７ａ及び記入事項４６ａが外部から視認不能となった、二つ折り葉書５８が作成される。
【００２７】
二つ折り葉書５８は、この状態において通常の葉書と同様に投函可能である。この二つ折り葉書５８のサービス提供会社及び銀行における取扱は、第１の実施形態と同様であるから、その説明は省略する。
【００２８】
なお、本発明は、上述した各実施形態に限定されるものではなく、例えば、葉書本体シート２，３２と貼着シート３，３３を剥離可能に接着する接着構造は、貼着シート３，３３の裏面側に、記入部７，３７への記入を阻害しないように捲り上げ可能に設けてもよい。また、剥離紙１３，４３を設けないで、樹脂シート８，３８を当初から前記葉書本体シート２，３２の裏面に接着しておいてもよい。さらに、剥離開始動作を容易にするために、２枚の樹脂シート８，９，３８，３９の大きさを相違させて端部に段差を設ける等により指掛け部を形成することもできる。
【００２９】
また、葉書本体シート２，３２と貼着シート３，３３を剥離可能に接着する接着構造は、２枚の樹脂シート８，９，３８，３９を疑似接着層１０，４０を介して剥離可能に接着してなる構造のほか、１枚の樹脂シート９，３９を前記葉書本体シート２，３２の裏面に剥離可能に接着する構成でもよく、さらには、樹脂シート８，９，３８，３９を用いずに、剥離可能な接着力の弱い感圧性接着剤を用いてもよい。
【００３０】
また、隠蔽ラベル２７，５７は、葉書本体シート２，３２の裏面側に剥離可能に設けてもよい。この場合、隠蔽ラベル２７，５７を、葉書本体シート２，３２の裏面側に設けた剥離シート１４，４４の表出面側に設けることもできる。さらに、葉書シート５，３５の一端側に、複写シート２０，５０を切り取り可能に連接して、三つ折りシート状に構成してもよい。またさらに、葉書用シート１，３１を口座振替依頼書以外にも適用できることはもちろんである。
【００３１】
【発明の効果】
以上のように、本発明の請求項１における複写機能を有する葉書用シートによれば、サービス提供会社等の控えを作成することができるとともに、複写記入部に直接、追加記入や捺印することができ、また、サービス提供会社等に二つ折り葉書として郵送可能であるほか、郵送時には記入事項を外部から視認できない状態にできるので、プライバシーの保護もできるという効果を奏する。
【図面の簡単な説明】
【図１】第１の実施形態を示す葉書用シートの斜視図。
【図２】同じく図１のＡ−Ａ線断面図。
【図３】同じく葉書シートの表面側を示す平面図。
【図４】同じく複写記入状態時の貼着シートを示す平面図。
【図５】同じく作成した二つ折り葉書の断面図。
【図６】第２の実施形態を示す葉書用シートの斜視図。
【図７】同じく図６のＢ−Ｂ線断面図。
【図８】同じく葉書シートの表面側を示す平面図。
【図９】同じく作成した二つ折り葉書の断面図。
【符号の説明】
１，３１      葉書用シート
２，３２      葉書本体シート
３，３３      貼着シート
４，３４      折り兼切り用ミシン目
５，３５      葉書シート
６，３６      宛名表示部
７，３７      複写記入部
８，９，３８，３９      樹脂シート
１０，４０      疑似接着層
１１，１２，４１，４２      粘着剤
１３，１４，４３，４４      剥離紙
１５，４５        葉書表示
１６      記入部
２０，５０      複写シート
２３，５３      再剥離性粘着剤
２５，５５      複写カーボン部材
２７，５７      隠蔽ラベル
２８，５８      二つ折り葉書
【図１】
0003850166.tif 000002
【図２】
0003850166.tif 000003
【図３】
0003850166.tif 000004
【図４】
0003850166.tif 000005
【図５】
0003850166.tif 000006
【図６】
0003850166.tif 000007
【図７】
0003850166.tif 000008
【図８】
0003850166.tif 000009
【図９】
0003850166.tif 000010